(57)【要約】【課題】  使い易く、置き場所が限定されず、かつ、環境破壊問題の改善に寄与することのできる粉末洗剤容器を提供する。【解決手段】  前端部に前記粉末洗剤Ｄを注出するためのＶ溝形案内底２ａ付注出部２を設けると共に、後端部に取手部３を設け、さらに、上端に蓋部４を設けて容器本体１を形成し、容器本体１の後部に、所定高さの隔壁５を設けて、隔壁５と容器本体１との間に、計量スプーン７を収納する収納部６を形成する。また、収納部６の上端に計量スプーン７を出し入れするに充分な大きさの上端開口部６ａを形成し、下端に、計量スプーン７が落下せず、かつ、計量スプーン７に残存した粉末洗剤Ｄが容器本体１に戻ることのできる大きさの下端開口部６ｂを形成する。【選択図】      図１
0003126817.tif 000002
【実用新案登録請求の範囲】
【請求項１】
粉末洗剤（Ｄ）を計量スプーン（７）と共に収納する容器であって、前端部に前記粉末洗剤を注出するための案内底付注出部（２）を設けると共に，後端部に取手部（３）を設け，さらに，上端に蓋部（４）を設けて容器本体（１）を形成し、前記容器本体の後部に，所定高さの隔壁（５）を設けて，該隔壁と前記容器本体との間に，前記計量スプーンを収納する収納部（６）を形成し、前記収納部の上端に前記計量スプーンを出し入れするに充分な大きさの上端開口部（６ａ）を形成し，下端に，前記計量スプーンが該収納部から落下せず，かつ，前記計量スプーンに残存した前記粉末洗剤が前記容器本体に戻ることのできる大きさの下端開口部（６ｂ）を形成したことを特徴とする粉末洗剤容器。
【請求項２】
粉末洗剤Ｄを計量スプーン（７）と共に収納する容器であって、前端部に前記粉末洗剤を注出するためのＶ溝形案内底付注出部（２）を設けると共に，後端部に取手部（３）を設け，さらに，上端に蓋部（４）を設けて容器本体（１）を形成し、前記容器本体の後部に，所定高さの隔壁（５）を設けて，該隔壁と前記容器本体との間に，前記計量スプーンを収納する収納部（６）を形成し、前記収納部の上端に前記計量スプーンを出し入れするに充分な大きさの上端開口部（６ａ）を形成し，下端に，前記計量スプーンが該収納部から落下せず，かつ，前記計量スプーンに残存した前記粉末洗剤が前記容器本体に戻ることのできる大きさの下端開口部（６ｂ）を形成し、前記隔壁を，垂直方向に垂下する縦壁部（５ａ）と，該縦壁部の下端部から斜め後方に傾斜する斜壁部（５ｂ）とで構成したことを特徴とする粉末洗剤容器。
【考案の詳細な説明】
【技術分野】
【０００１】
本考案は、粉末洗剤を計量スプーンと共に収納する容器に関するものである。
【背景技術】
【０００２】
洗濯用や食洗機用などの洗剤として粉末状の洗剤が多く使用されている。この粉末洗剤は、通常、直方体形状の箱に計量スプーンと共に収納され、当該計量スプーンで適量ずつ取り出されて使用される。
【考案の開示】
【考案が解決しようとする課題】
【０００３】
こうした従来の洗剤を収納する箱には、次のような問題点がある。
（イ）計量スプーンが粉末洗剤の中に埋もれてしまうため、取り出し難い。
（ロ）計量スプーンの把持部に粉末洗剤が付着し易いため、手が汚れてしまい、洗浄する手間を要する。
（ハ）箱が直方体形状であるため持ち難く、誤って洗剤を零してしまい易い。
（ニ）上記（ハ）と同様の理由から、置き場所に収納し難く、また、取り出し難い。
（ホ）粉末洗剤を使い切った後、廃棄する必要があるため、環境破壊問題の一要因となる。
【０００４】
本考案はこうした点に鑑み創案されたもので、使い易く、置き場所が限定されず、かつ、環境破壊問題の改善に寄与することのできる粉末洗剤容器を提供することを課題とする。
【課題を解決するための手段】
【０００５】
図１乃至図３を参照して説明する。請求項１に記載の粉末洗剤容器は、粉末洗剤Ｄを計量スプーン７と共に収納する容器であって、前端部に前記粉末洗剤Ｄを注出するための案内底２ａ付注出部２を設けると共に、後端部に取手部３を設け、さらに、上端に蓋部４を設けて容器本体１を形成し、前記容器本体１の後部に、所定高さの隔壁５を設けて、当該隔壁５と前記容器本体１との間に、前記計量スプーン７を収納する収納部６を形成する。
【０００６】
そして、前記収納部６の上端に前記計量スプーン７を出し入れするに充分な大きさの上端開口部６ａを形成し、下端に、前記計量スプーン７が当該収納部６から落下せず、かつ、前記計量スプーン７に残存した前記粉末洗剤Ｄが前記容器本体１に戻ることのできる大きさの下端開口部６ｂを形成する。
【０００７】
請求項２に記載の粉末洗剤容器は、粉末洗剤Ｄを計量スプーン７と共に収納する容器であって、前端部に前記粉末洗剤Ｄを注出するためのＶ溝形案内底２ａ付注出部２を設けると共に、後端部に取手部３を設け、さらに、上端に蓋部４を設けて容器本体１を形成し、前記容器本体１の後部に、所定高さの隔壁５を設けて、当該隔壁５と前記容器本体１との間に、前記計量スプーン７を収納する収納部６を形成する。
【０００８】
また、前記収納部６の上端に前記計量スプーン７を出し入れするに充分な大きさの上端開口部６ａを形成し、下端に、前記計量スプーン７が当該収納部６から落下せず、かつ、前記計量スプーン７に残存した前記粉末洗剤Ｄが前記容器本体１に戻ることのできる大きさの下端開口部６ｂを形成する。
【０００９】
さらに、前記隔壁５を、垂直方向に垂下する縦壁部５ａと、当該縦壁部５ａの下端部から斜め後方に傾斜する斜壁部５ｂとで構成する。
【考案の効果】
【００１０】
請求項１に記載の粉末洗剤容器は、収納部６を形成し、その上端に計量スプーン７を出し入れするに充分な大きさの上端開口部６ａを形成し、下端に、計量スプーン７が落下せず、かつ、計量スプーン７に残存した粉末洗剤Ｄが容器本体１に戻ることのできる大きさの下端開口部６ｂを形成しているので、使い易い。
【００１１】
すなわち、計量スプーン７を、粉末洗剤Ｄが収納されている容器本体１ではなく、隔壁５によって独立形成された収納部６に収納するので、粉末洗剤Ｄの中に埋もれてしまうことがない。また、これにより、計量スプーン７の把持部７ａに粉末洗剤Ｄが付着しないので、手が汚れず、洗浄する手間も不要である。従って、きわめて使い易い。
【００１２】
また、後端部に取手部３を設けているので、この取手部３を握って取り扱うことができる。従って、誤って粉末洗剤Ｄを零すといったことがない。また、取手部３を握ることによって、どのような収納場所からも取り出し易く、また、収納し易い。
【００１３】
さらに、蓋部４を開けて新たな粉末洗剤Ｄを補給することにより、長期にわたって使用することができるので、従来のように、粉末洗剤Ｄを使い切った後、廃棄する必要がない。従って、廃棄物の軽減に寄与し、環境破壊問題の改善に貢献することができる。
【００１４】
請求項２に記載の粉末洗剤容器は、請求項１に記載の考案と同様に、使い易く、置き場所が限定されず、環境破壊問題の改善に寄与することができる。
【００１５】
また、隔壁５を、垂直方向に垂下する縦壁部５ａと、当該縦壁部５ａの下端部から斜め後方に傾斜する斜壁部５ｂとで構成しているので、縦壁部５ａと容器本体１との距離を上から下まで一定に維持することができ、よって、計量スプーン７を縦壁部５ａの下端部分まで円滑に収納することができる。また、斜壁部５ｂのはたらきによって、計量スプーン７から落下した粉末洗剤Ｄを、その斜面を滑らせて容器本体１まで円滑に案内して戻すことができる。
【考案を実施するための最良の形態】
【００１６】
本考案に係る粉末洗剤容器の実施形態を、図１乃至図４に示す。これは、洗濯に使用する粉末洗剤Ｄを計量スプーン７と共に収納する容器であり、前端部に粉末洗剤Ｄを注出するためのＶ溝形案内底２ａ付注出部２を設けると共に、後端部に取手部３を設けて形成した本体部１Ａの上端に蓋部４を設けて容器本体１を形成している。なお、蓋部４は、その周端部に嵌着凹部４ａを設けて、本体部１Ａに着脱自在に嵌着できるように形成している。
【００１７】
また、容器本体１の後部に、ほぼ計量スプーン７よりやや短い隔壁５を、上端から垂下設して、当該隔壁５と容器本体１との間に、計量スプーン７を収納するための収納部６を形成している。収納部６の深さは限定されないが、計量スプーン７の把持部７ａが上端開口部６ａからやや露出する程度に設定すると、当該計量スプーン７を取り出し易いので便利である。なお、この収納部６の上端開口部６ａから粉末洗剤Ｄを容器本体１に入れることができる。
【００１８】
そして、収納部６の上端に計量スプーン７を出し入れするに充分な大きさの上端開口部６ａを形成している。また、収納部６の下端に、計量スプーン７が収納部６から落下せず、かつ、計量スプーン７に残存した粉末洗剤Ｄが容器本体１に円滑に戻ることのできる大きさの下端開口部６ｂを形成している。
【００１９】
なお、本実施形態では、容器本体１の本体部１Ａを、底壁１ａ、湾曲状の前壁１ｂ、二つの側壁１ｃおよび後壁１ｄを有する略直方体形状としている。従って、収納部６は、隔壁５、二つの側壁１ｃ、および後壁１ｄとで形成される。また、隔壁５は、垂直状の縦壁部５ａと、その下端部から後方へ斜めに垂下する斜壁部５ｂとで形成し、この斜壁部５ｂによって下端開口部６ｂの大きさを、計量スプーン７が落下せず、かつ、粉末洗剤Ｄのみが落下して容器本体１に戻ることのできる程度に設定している。
【００２０】
本実施形態に係る粉末洗剤容器は、次のようにして使用する。まず、収納部６から計量スプーン７を取り出す。この際、計量スプーン７は、収納部６に粉末洗剤Ｄとは別個に収納されているので、粉末洗剤Ｄの中に埋もれた状態に収納されていることはない。また、これにより、計量スプーン７の把持部７ａに粉末洗剤Ｄが付着していることもない。また、上端開口部６ａは、計量スプーン７を取り出すのに充分な大きさに形成されているので、容易に取り出すことができる。従って、きわめて使い易い。
【００２１】
次に、容器本体１の取手部３を握って傾け、Ｖ溝形案内底２ａ付注出部２から粉末洗剤Ｄを計量スプーン７に注出する。この際、取手部３を握るので持ち易く、誤って粉末洗剤Ｄを零したり、多く注出してしまうことがない。なお、取手部３を握ることができるので、当該粉末洗剤容器をどのような収納場所からも取り出し易く、また、収納し易い。
【００２２】
そして、計量スプーン７に注出された粉末洗剤Ｄを、洗濯機などに注いだ後、収納部６に戻す。この際、上端開口部６ａは充分な大きさに形成されているので、計量スプーン７を容易に収納部６に戻すことができる。また、計量スプーン７に残存したり、付着している粉末洗剤Ｄは、下端開口部６ｂを通過して容器本体１に戻ることができる。さらに、この下端開口部６ｂは、計量スプーン７が落下しない程度の大きさに設定されているので、当該計量スプーン７が容器本体１の粉末洗剤Ｄの中に落下することもない。
【００２３】
なお、本実施形態では、隔壁５を、垂直方向に垂下する縦壁部５ａと、当該縦壁部５ａの下端部から斜め後方に傾斜する斜壁部５ｂとで構成して、縦壁部５ａと容器本体１との距離を上から下まで、計量スプーン７を出し入れできる一定値に設定している。これにより、計量スプーン７を、縦壁部５ａの下端部分まで円滑に収納することができる。また、斜壁部５ｂを設けているので、計量スプーン７から落下した粉末洗剤Ｄを、当該斜壁部５ｂの傾斜面を滑らすようにして容器本体１まで円滑に案内して戻すことができる。
【００２４】
さらに、粉末洗剤Ｄを使い切った後は、蓋部４を本体部１Ａから外して、本体部１Ａの開放部Ｇから新たな粉末洗剤Ｄを補給することができるので、廃棄する必要がない。従って、廃棄物の軽減に寄与して、環境破壊問題の改善に貢献することができる。
【産業上の利用可能性】
【００２５】
本考案に係る粉末洗剤容器は、粉末洗剤以外の液状洗剤や、洗剤以外の他の粉末製品や液状製品を収納するために使用することができる。
【図面の簡単な説明】
【００２６】
【図１】本考案に係る粉末洗剤容器を示す斜視図である。
【図２】図１に示す粉末洗浄容器において蓋部を開けた状態を示す斜視図である。
【図３】図１のＸ−Ｘ線断面図である。
【図４】図３のＹ−Ｙ線矢視図である（蓋部を除いた状態）。
【符号の説明】
【００２７】
１        容器本体
１Ａ      本体部
１ａ      底壁
１ｂ      前壁
１ｃ      側壁
１ｄ      後壁
２        注出部
２ａ      案内底
３        取手部
４        蓋部
４ａ      嵌着凹部
５        隔壁
５ａ      縦壁部
５ｂ      斜壁部
６        収納部
６ａ      上端開口部
６ｂ      下端開口部
７        計量スプーン
７ａ      把持部
Ｄ        粉末洗剤
Ｇ        開放部
【図１】
0003126817.tif 000003
【図２】
0003126817.tif 000004
【図３】
0003126817.tif 000005
【図４】
0003126817.tif 000006